(57)【要約】【課題】雄雌一対のコネクタ、の少なくとも一方のコネクタを嵌合方向に移動させる回転部材を有する回転部材有り雌コネクタに嵌合可能に回転部材のガイド溝を形成した雄コネクタと、回転部材を有しない回転部材無し雌コネクタと、が止水性能を確保して嵌合できるコネクタの嵌合構造を提供すること。【解決手段】雄雌一対のコネクタの少なくとも一方のコネクタを嵌合方向に移動させる回転部材６０を有する回転部材有り雌コネクタ３０に嵌合可能に嵌合凹部２１の外周面２１ｂに回転部材６０のガイド溝２２を形成した雄コネクタ１０と、回転部材６０を有しない回転部材無し雌コネクタ７０と、が嵌合するコネクタの嵌合構造１であって、回転部材無し雌コネクタ７０は、嵌合凹部２１に嵌合する嵌合凸部８１の外周面８１ａに嵌合凹部２１の嵌入側端部内周面２１ｃに周方向に沿って連続的に密着する弾性シール部９０を設ける。【選択図】図８
2015056207.tif 000002
【特許請求の範囲】
【請求項１】
雄雌一対のコネクタの少なくとも一方のコネクタを嵌合方向に移動させる回転部材を有する回転部材有り雌コネクタに嵌合可能に嵌合凹部の外周面に前記回転部材のガイド溝を形成した雄コネクタと、前記回転部材を有しない回転部材無し雌コネクタと、が嵌合するコネクタの嵌合構造であって、
前記回転部材無し雌コネクタは、
前記嵌合凹部に嵌合する嵌合凸部の外周面に前記嵌合凹部の嵌入側端部内周面に周方向に沿って連続的に密着する弾性シール部
を設けることを特徴とするコネクタの嵌合構造。
【請求項２】
前記回転部材無し雌コネクタは、
前記雄コネクタを収容するケース本体の開口部を覆い、前記ケース本体に固定する固定部を含むカバー部と一体的に設ける
ことを特徴とする請求項１に記載のコネクタの嵌合構造。
【請求項３】
前記弾性シール部は、
軸方向の長さを弾性シール部が前記嵌合凹部の端縁面より上方の部分にも位置するように調整する
ことを特徴とする請求項１または２に記載のコネクタの嵌合構造。
【発明の詳細な説明】
【技術分野】
【０００１】
本発明は、回転部材有り雌コネクタに嵌合可能に嵌合凹部の外周面に回転部材のガイド溝を形成した雄コネクタと、回転部材を有しない回転部材無し雌コネクタと、が嵌合するコネクタの嵌合構造に関する。
【背景技術】
【０００２】
自動車のトランスミッションを電気的に接続する雄、雌一対のコネクタの嵌合構造として、雌コネクタに回転自在に設けた回転部材を雄コネクタの嵌合凹部外周面に設けたガイド溝によって誘導しながら回転することによって一対のコネクタを嵌合方向に移動させるものがある（例えば、特許文献１参照）。
一方、回転部材を有しない雌コネクタ（以下、回転部材無し雌コネクタという。）は、回転部材を用いないため、部品点数を少なく抑えることができるが、雄コネクタに正規の姿勢で嵌合するという点では、回転部材を設けた雌コネクタ（以下、回転部材有り雌コネクタという。）に劣る。
このため、回転部材のガイド溝を形成した雄コネクタを共通の雄コネクタとして用いて、嵌合相手となる回転部材無し雌コネクタと、回転部材有り雌コネクタと、を使い分けて嵌合するようにすれば要求に応じたコネクタの嵌合構造を提供しやすくなる。
【先行技術文献】
【特許文献】
【０００３】
【特許文献１】特開２００３−１６３０５６号公報
【発明の概要】
【発明が解決しようとする課題】
【０００４】
しかしながら、特許文献１に記載したコネクタ嵌合構造は、図１０に示すように、ガイド溝２１０を形成した雄コネクタ２００に対して回転部材無し雌コネクタ３００を傾いた状態で嵌合した場合、弾性シール材４００の圧縮面が減少するため止水性能が低下し、雄コネクタ２００のガイド溝２１０を侵入路として水等の液体がコネクタ内に侵入するおそれがあった。
【０００５】
本発明は、上記に鑑みてなされたものであって、雄雌一対のコネクタの少なくとも一方のコネクタを嵌合方向に移動させる回転部材を有する回転部材有り雌コネクタに嵌合可能に回転部材のガイド溝を形成した雄コネクタと、回転部材を有しない回転部材無し雌コネクタと、が止水性能を確保して嵌合できるコネクタの嵌合構造を提供することを目的とする。
【課題を解決するための手段】
【０００６】
上述した課題を解決し、目的を達成するために、本発明の請求項１に係るコネクタの嵌合構造は、雄雌一対のコネクタの少なくとも一方のコネクタを嵌合方向に移動させる回転部材を有する回転部材有り雌コネクタに嵌合可能に嵌合凹部の外周面に前記回転部材のガイド溝を形成した雄コネクタと、前記回転部材を有しない回転部材無し雌コネクタと、が嵌合するコネクタの嵌合構造であって、前記回転部材無し雌コネクタは、前記嵌合凹部に嵌合する嵌合凸部の外周面に前記嵌合凹部の嵌入側端部内周面に周方向に沿って連続的に密着する弾性シール部を設けることを特徴とする。
【０００７】
また、本発明の請求項２に係るコネクタの嵌合構造は、上記の発明において、前記回転部材無し雌コネクタは、前記雄コネクタを収容するケース本体の開口部を覆い、前記ケース本体に固定する固定部を含むカバー部と一体的に設けることを特徴とする。
【０００８】
また、本発明の請求項３に係るコネクタの嵌合構造は、上記の発明において、前記弾性シール部は、軸方向の長さを弾性シール部が前記嵌合凹部の端縁面より上方の部分にも位置するように調整することを特徴とする。
【発明の効果】
【０００９】
本発明の請求項１に係るコネクタの嵌合構造は、前記弾性シール部が前記ガイド溝を形成しない前記嵌合凹部の嵌入側端部内周面に確実に密着するとともに、前記回転部材無し雌コネクタが前記雄コネクタに正規の姿勢に対して傾いて嵌合した場合であっても、前記弾性シール部の圧縮面が減少し難いため、止水性を確保できるので、雄雌一対のコネクタの少なくとも一方のコネクタを嵌合方向に移動させる回転部材を有する回転部材有り雌コネクタに嵌合可能に回転部材のガイド溝を形成した雄コネクタと、回転部材を有しない回転部材無し雌コネクタと、が止水性能を確保して嵌合できる。
【００１０】
本発明の請求項２に係るコネクタの嵌合構造は、前記回転部材無し雌コネクタを前記固定部でケース本体１００に固定することによって、前記回転部材無し雌コネクタの傾きを小さく抑えて前記雄コネクタに嵌合することができる。
【００１１】
本発明の請求項３に係るコネクタの嵌合構造は、前記弾性シール部を水等の侵入口となる前記嵌合凹部の嵌入側端部の前記端縁面より上方にも位置するようにしているため、前記嵌合凹部の嵌入側端部周辺の止水性をより高めることができる。
【図面の簡単な説明】
【００１２】
【図１】図１は、本発明の実施例に係るコネクタの嵌合構造の回転部材無し雌コネクタと、雄コネクタとを嵌合する前の状態を示す斜視図である。
【図２】図２は、本発明の実施例に係るコネクタの嵌合構造の回転部材無し雌コネクタと、雄コネクタとを嵌合した状態を示す斜視図である。
【図３】図３は、図２に示すコネクタの嵌合構造の断面図である。
【図４】図４は、本発明の実施例に係るコネクタの嵌合構造の回転部材有り雌コネクタと、雄コネクタとを嵌合する前の状態を示す斜視図である。
【図５】図５は、本発明の実施例に係るコネクタの嵌合構造の回転部材有り雌コネクタと、雄コネクタとを嵌合した状態を示す斜視図である。
【図６】図６は、図５に示すコネクタの嵌合構造の断面図である。
【図７】図７は、雄コネクタの嵌合口周辺の拡大斜視図である。
【図８】図８は、（ａ）が回転部材無し雌コネクタが雄コネクタに傾いて嵌合した状態を示した断面図であり、（ｂ）が（ａ）の状態における雄コネクタと弾性シール部と位置関係の概略を示す図である。
【図９】図９は、回転部材有り雌コネクタの変形例の断面図である。
【図１０】図１０は、従来技術の問題点を説明するための図であり、（ａ）がコネクタの嵌合構造の断面図を示し、（ｂ）が（ａ）の雄コネクタの嵌入側端部周辺を拡大した図である。
【発明を実施するための形態】
【００１３】
図１は、本発明の実施例に係るコネクタの嵌合構造１の回転部材無し雌コネクタ７０と、雄コネクタ１０とを嵌合する前の状態を示す斜視図である。図２は、本発明の実施例に係るコネクタの嵌合構造１の回転部材無し雌コネクタ７０と、雄コネクタ１０とを嵌合した状態を示す斜視図である。図３は、図２に示すコネクタの嵌合構造１の断面図である。図４は、本発明の実施例に係るコネクタの嵌合構造１の回転部材有り雌コネクタ３０と、雄コネクタ１０とを嵌合する前の状態を示す斜視図である。図５は、本発明の実施例に係るコネクタの嵌合構造１の回転部材有り雌コネクタ３０と、雄コネクタ１０とを嵌合した状態を示す斜視図である。図６は、図５に示すコネクタの嵌合構造１の断面図である。図７は、雄コネクタ１０の嵌合口周辺の拡大斜視図である。図８は、（ａ）が回転部材無し雌コネクタ７０が雄コネクタ１０に傾いて嵌合した状態を示した断面図であり、（ｂ）が（ａ）の状態における雄コネクタ１０と弾性シール部９０と位置関係の概略を示す図である。なお、図８（ｂ）では回転部材無し雌コネクタ７０を仮想線図で示している。
【００１４】
本発明の実施例に係るコネクタの嵌合構造１は、例えば、自動車のトランスミッションを電気的に接続するものであり、雄雌一対のコネクタの少なくとも一方のコネクタを嵌合方向に移動させる回転部材６０を有する回転部材有り雌コネクタ３０に嵌合可能に嵌合凹部２１の外周面２１ｂに回転部材６０のガイド溝２２を形成した雄コネクタ１０と、回転部材６０を有しない回転部材無し雌コネクタ７０と、が嵌合する。
なお、この実施例では、雄コネクタ１０をケース本体１００に収容することによってケース本体１００に固定しているため、回転部材有り雌コネクタ３０、あるいは回転部材無し雌コネクタ７０が嵌合方向に移動することによって、雄雌一対のコネクタを嵌合するようになっている。
また、以下の説明では、回転部材有り雌コネクタ３０と回転部材無し雌コネクタ７０とを区別しない場合、総称して「雌コネクタ」という。
【００１５】
まず、雄コネクタ１０について説明する。
雄コネクタ１０は、回転部材有り雌コネクタ３０および回転部材無し雌コネクタ７０の両方に嵌合可能なコネクタである。この雄コネクタ１０は、合成樹脂等の絶縁材からなる円筒状の雄コネクタハウジング２０の内部に嵌合相手となる回転部材有り雌コネクタ３０、あるいは回転部材無し雌コネクタ７０の複数の雌端子１２に接続する複数の雄端子１１を保持収容する。
【００１６】
この雄コネクタハウジング２０は、内部に形成した不図示の隔壁から雌コネクタ３０、７０が嵌入する嵌入口に向けて雄端子１１のタブ状の接続部分が突出するように各雄端子１１を保持し、隔壁を底面とする嵌合凹部２１を形成している。
【００１７】
この嵌合凹部２１の外周面に形成したガイド溝２２は、回転部材６０の後述するガイド突起６１ａを嵌め入れて回転部材６０を回転することによって、回転部材有り雌コネクタ３０の嵌合方向への移動をガイドする。
より具体的には、ガイド溝２２は、図７に示すように、嵌合凹部２１の端縁面２１ａから嵌合方向に直線状に形成した直線ガイド溝部２２ａと、直線ガイド溝部２２ａの終端部に連接し、周方向に螺線状に傾斜して延びる傾斜ガイド溝部２２ｂと、を有する。
【００１８】
直線ガイド溝部２２ａは、回転部材６０のガイド突起６１ａを嵌め入れることによって回転部材有り雌コネクタ３０を雄コネクタ１０との初期嵌合状態に誘導するための溝である。この直線ガイド溝部２２ａに回転部材６０を嵌め入れることによって、回転部材有り雌コネクタ３０は、雄コネクタ１０に対して正規の姿勢を維持して嵌合できる。
【００１９】
傾斜ガイド溝部２２ｂは、初期嵌合状態から嵌合完了位置まで回転部材有り雌コネクタ３０を嵌合方向に移動するために回転部材６０の回転をガイドする溝である。
すなわち、傾斜ガイド溝部２２ｂは、ガイド突起６１ａを直線ガイド溝部２２ａの終端位置まで移動した回転部材６０を回転することによって、初期嵌合状態から嵌合完了位置まで回転部材有り雌コネクタ３０を嵌合方向に誘導する。
なお、直線ガイド溝部２２ａおよび傾斜ガイド溝部２２ｂの嵌合方向での合計寸法は、回転部材有り雌コネクタ３０の嵌合開始から嵌合完了までの嵌合方向での移動距離になる。
【００２０】
次に、回転部材有り雌コネクタ３０について説明する。
回転部材有り雌コネクタ３０は、合成樹脂等の絶縁材からなる円柱状の雌コネクタハウジング４０と、雌コネクタハウジング４０に回動可能に設けた回転部材６０と、を有する。
【００２１】
雌コネクタハウジング４０は、嵌合相手となる雄コネクタ１０の複数の雄端子１１に接続する複数の雌端子１２を収容する複数の端子収容室４２を有する。
この雌コネクタハウジング４０は、前端から後方に向けて雄コネクタ１０の嵌合凹部２１に嵌入するように外径を嵌合凹部２１の内径に比して僅かに小さくすることによって嵌合凸部４１を形成する。
また、雌コネクタハウジング４０の後端部には、雄コネクタハウジング２０の嵌入口周辺の外周面を外周面に間隔を隔てて囲うシール壁部４３を設ける。
【００２２】
また、雌コネクタハウジング４０には、嵌合凸部４１の外周面４１ａに嵌合凹部２１の嵌入側端部内周面２１ｃに周方向に沿って連続的に密着する弾性シール部５０を設ける。
この弾性シール部５０は、嵌合凸部４１の後端部外周面に周方向に沿って形成したシール部材配置溝５１と、シール部材配置溝５１に配置するリング状の弾性シール部材５２と、を有する。
【００２３】
弾性シール部材５２は、ゴム等の弾性材からなり、軸方向に谷部と山部とを連続して形成した、いわゆるリップ形状である。
この弾性シール部材５２は、嵌合凸部４１の外周面４１ａと、嵌合凹部２１の嵌入側端部内周面２１ｃとの間で圧縮して密着する程度の厚さに調整する。
なお、弾性シール部材５２は、嵌合凸部４１の外周面と、嵌合凹部２１の嵌入側端部内周面とを密閉するように密着できるものであれば、リップ形状に限らず、その他の形状であっても構わない。例えば、厚み一定のリング状弾性部材であってもよい。
【００２４】
また、この実施例では、弾性シール部５０の軸方向の長さを弾性シール部５０が嵌合凹部２１の端縁面２１ａより上方の部分にも位置するように調整している。
【００２５】
回転部材６０は、軸方向に沿って嵌合方向前側に設けた小径筒部６１と、小径筒部６１の後側に連続して設けた小径筒部６１に比して大きい径の大径筒部６２と、有する。
【００２６】
小径筒部６１は、内径を雄コネクタハウジング２０の嵌合凹部２１の先端部より僅かに大きい内径に調整した筒状部分であり、筒内周面の周方向に沿って所定の間隔を隔てて設けた複数のガイド突起６１ａを有する。
【００２７】
大径筒部６２は、内径をシール壁部４３の外径に比して僅かに大きく調整した筒状部分である。この大径筒部６２は、雌コネクタハウジング４０の外周に沿って複数箇所に形成した係止溝４４に回転部材６０を回動可能に係止する複数の係止片６２ａを有する。
【００２８】
このような回転部材有り雌コネクタ３０は、回転部材６０によって支持されることによって正規の姿勢で雄コネクタ１０に嵌合する。
【００２９】
次に、回転部材無し雌コネクタ７０について説明する。
回転部材無し雌コネクタ７０は、合成樹脂等の絶縁材からなる円柱状の雌コネクタハウジング８０を有する。
【００３０】
雌コネクタハウジング８０は、嵌合相手となる雄コネクタ１０の複数の雄端子１１に接続する複数の雌端子１２を収容する複数の端子収容室８２を有する。
この雌コネクタハウジング８０は、前端から後方に向けて雄コネクタ１０の嵌合凹部２１に嵌入するように外径を嵌合凹部２１の内径に比して僅かに小さくすることによって嵌合凸部８１を形成する。
また、雌コネクタハウジング８０の後端部には、雄コネクタハウジング２０の嵌入口周辺の外周面を外周面に間隔を隔てて囲うシール壁部８３を設ける。
【００３１】
また、雌コネクタハウジング８０には、嵌合凸部８１の外周面に嵌合凹部２１の嵌入側端部内周面２１ｃに周方向に沿って連続的に密着する弾性シール部９０を設ける。
【００３２】
この弾性シール部９０は、嵌合凸部８１の後端部外周面に周方向に沿って形成したシール部材配置溝９１と、シール部材配置溝９１に配置するリング状の弾性シール部材９２と、を有する。
弾性シール部材９２は、ゴム等の弾性材からなり、軸方向に谷部と山部とを連続して形成した、いわゆるリップ形状である。
この弾性シール部材９２は、嵌合凸部８１の外周面８１ａと、嵌合凹部２１の嵌入側端部内周面２１ｃとの間で圧縮して密着する程度の厚さに調整する。
なお、弾性シール部材９２は、嵌合凸部８１の外周面８１ａと、嵌合凹部２１の嵌入側端部内周面２１ｃとを密閉するように密着できるものであれば、リップ形状に限らず、その他の形状であっても構わない。例えば、厚み一定のリング状弾性部材であってもよい。
【００３３】
また、この実施例では、弾性シール部９０の軸方向の長さを弾性シール部９０が嵌合凹部２１の端縁面２１ａより上方の部分にも位置するように調整している。
【００３４】
また、雌コネクタハウジング８０は、雄コネクタ１０を収容するケース本体１００の開口部を覆い、ケース本体１００に固定する固定部８４を含むカバー部８５と一体的に設ける。
【００３５】
カバー部８５は、固定部８４がケース本体１００の開口部端縁面に載置する部分となり、固定部８４に設けた挿通孔にネジ等を通してケース本体１００に固定する。
このようにカバー部８５をケース本体１００に固定することによって、回転部材無し雌コネクタ７０の傾きを抑えて雄コネクタ１０に嵌合する。
【００３６】
このような回転部材無し雌コネクタ７０と、雄コネクタ１０とのコネクタの嵌合構造１は、図８に示すように、回転部材無し雌コネクタ７０が正規の姿勢に対して傾いて雄コネクタ１０に嵌合した場合であっても、弾性シール部９０の圧縮面が減少し難い。
しかも、弾性シール部材９２がガイド溝２２を形成しない嵌入側端部内周面２１ｃに密着するようになっているため、嵌入側端部内周面２１ｃに密着し易い。
【００３７】
また、図２に示すように、回転部材無し雌コネクタ７０をケース本体１００に固定することによって、回転部材無し雌コネクタ７０の傾きを小さく抑えて雄コネクタ１０に嵌合することができる。
【００３８】
本発明の実施例に係るコネクタの嵌合構造１は、弾性シール部９０がガイド溝２２を形成しない嵌合凹部２１の嵌入側端部内周面２１ｃに確実に密着するとともに、回転部材無し雌コネクタ７０が雄コネクタ１０に正規の姿勢に対して傾いて嵌合した場合であっても、弾性シール部９０の圧縮面が減少し難いため、止水性を確保できるので、雄雌一対のコネクタの少なくとも一方のコネクタを嵌合方向に移動させる回転部材６０を有する回転部材有り雌コネクタ３０に嵌合可能に回転部材６０のガイド溝２２を形成した雄コネクタ１と、回転部材６０を有しない回転部材無し雌コネクタ７０と、が止水性能を確保して嵌合できる。
【００３９】
また、本発明の実施例に係るコネクタの嵌合構造１は、回転部材無し雌コネクタ７０を固定部８４でケース本体１００に固定することによって、回転部材無し雌コネクタ７０の傾きを小さく抑えて雄コネクタ１０に嵌合することができる。
【００４０】
また、本発明の実施例に係るコネクタの嵌合構造１は、弾性シール部９０を水等の侵入口となる嵌合凹部２１の嵌入側端部の端縁面２１ａより上方にも位置するようにしているため、嵌合凹部２１の嵌入側端部周辺の止水性をより高めることができる。
【００４１】
なお、本発明の実施例に係るコネクタの嵌合構造１は、回転部材有り雌コネクタ３０が嵌合凸部４１の外周面４１ａに嵌合凹部２１の嵌入側端部内周面２１ｃに周方向に沿って連続的に密着する弾性シール部５０を有するものを例示したが、これに限らず、回転部材有り雌コネクタ３０は、図９に示すように、雄コネクタ１０の嵌入側端部に密着する弾性シール部５３を設けるようにしても構わない。
【００４２】
また、本発明の実施例に係るコネクタの嵌合構造１は、回転部材無し雌コネクタ７０をカバー部８５と一体的に設けるものを例示したが、これに限らず、回転部材無し雌コネクタ７０をカバー部８５と一体的に設けないようにしても構わない。
【００４３】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４４】
１      コネクタの嵌合構造
１０    雄コネクタ
１１    雄端子
１２    雌端子
２０    雄コネクタハウジング
２１    嵌合凹部
２１ａ  端縁面
２１ｂ  外周面
２１ｃ  嵌入側端部内周面
２２    ガイド溝
２２ａ  直線ガイド溝部
２２ｂ  傾斜ガイド溝部
３０    回転部材有り雌コネクタ
４０    雌コネクタハウジング
４１    嵌合凸部
４１ａ  外周面
４２    端子収容室
４３    シール壁部
４４    係止溝
５０    弾性シール部
５１    シール部材配置溝
５２    弾性シール部材
６０    回転部材
６１    小径筒部
６１ａ  ガイド突起
６２    大径筒部
６２ａ  係止片
７０    回転部材無し雌コネクタ
８０    雌コネクタハウジング
８１    嵌合凸部
８１ａ  外周面
８２    端子収容室
８３    シール壁部
８４    固定部
８５    カバー部
９０    弾性シール部
９１    シール部材配置溝
９２    弾性シール部材
１００  ケース本体
【図１】
2015056207.tif 000003
【図２】
2015056207.tif 000004
【図３】
2015056207.tif 000005
【図４】
2015056207.tif 000006
【図５】
2015056207.tif 000007
【図６】
2015056207.tif 000008
【図７】
2015056207.tif 000009
【図８】
2015056207.tif 000010
【図９】
2015056207.tif 000011
【図１０】
2015056207.tif 000012